(57)【要約】      （修正有）【課題】シュリンク包装用樹脂フィルムの分別がし易いものとするためにシュリンク包装された樹脂フィルムを容易に剥がすことができる建築資材を提供する。【解決手段】打設コンクリート層間に介在される、面木、目地棒、アンコ材等の棒状建築資材である。その棒状材（芯材）１０の全長に亘って筒状樹脂フィルム１１をシュリンク包装し、そのシュリンク包装した樹脂フィルム１１のコンクリート層に接しない面にその棒状材の全長に亘るミシン目状の孔列１２を形成する。シュリンク包装は樹脂フィルムが縮んで棒状材１０を密封被覆するため、棒状材の全表面に樹脂フィルムがピッタリ添い、面木等の外面形状の変形が極めて少ない。ミシン目状孔列１２がコンクリート層に接する面に存在しないため、コンクリートがその孔列から内部に侵入することがない。同図鎖線で示すように、孔列１２の端から、樹脂フィルム１１を破いて剥がせば、樹脂フィルム１１を芯材１０から容易に剥がして両者を分別できる。【選択図】図１
0003211393.tif 000002
【実用新案登録請求の範囲】
【請求項１】
打設コンクリート層間に介在される棒状材（１０）からなる建築資材（Ａ、Ａ１〜Ａ８）であって、その棒状材（１０）の全面全長に亘って樹脂フィルム（１１）をシュリンク包装し、そのシュリンク包装した樹脂フィルム（１１）の前記コンクリート層に接しない面に、前記棒状材（１０）の長さ方向に長いミシン目状の孔列（１２）を形成したことを特徴とする建築資材。
【請求項２】
上記棒状建築資材（Ａ）が、面木、目地棒又はアンコ材であることを特徴とする請求項１記載の建築資材。
【請求項３】
上記ミシン目状の孔列（１２）は、シュリンク包装された上記棒状材（１０）の長さ方向の両端に至っていることを特徴とする請求項１又は２に記載の建築資材。
【請求項４】
上記棒状材（１０）が木材からなることを特徴とする請求項１乃至３の何れか１項に記載の建築資材。
【考案の詳細な説明】
【技術分野】
【０００１】
この考案は、コンクリート構造物（鉄筋コンクリート構造物を含む）を施工する際、そのコンクリート構造物の隅に所要の形状，例えば面取りを作るための面木、同コンクリート構造物のコンクリート層間の隙間、例えば目地を形成するための目地棒、同コンクリート構造物に複雑な切り込み等を形成するためのアンコ材（ヌスミ材）等の棒状建築資材（棒状土木資材も含む、以下同様）に関するものである。
【背景技術】
【０００２】
コンクリート構造物を施工する際、型枠は、そのコンクリート構造物を所定の形状、寸法につくるための鋳型の役目をする仮設工作物であり、図７（ａ）に示すように、その型枠Ｗの中にコンクリートＣを打設し、その打設コンクリートＣが固化し、所要の強度に達すると、型枠Ｗは撤去（脱型）される。これを「型枠工法」という。
【０００３】
この型枠工法において、コンクリート構造物の保守管理、養生、デザイン等の目的から、面木、目地棒、アンコ材等が使用される。面木は、柱、梁、手摺り等の角に面を取るために使用し、例えば，出隅（図７（ａ）、（ｂ））、入隅（同図（ｇ）、（ｈ））、コーナ（同図（ｆ））、天端（同図（ｉ））等に使用される。目地棒は、亀裂（クラック）誘発目地（同図（ｊ））、打継目地（同図（ｃ）、（ｄ））、壁面目地（同図（ｅ））等を形成するために使用される。アンコ材はコンクリート構造物に複雑な切り込み等を作るときに、コンクリートが廻らないように型枠に取り付けられる。
【０００４】
この面木、目地棒、アンコ材等（以下、これらを総称して「面木等、符号Ａ（Ａ１、Ａ２・・）」と言う。）は、棒状であって、使用部位に応じて、図１、図６（ａ）〜（ｇ）等に示す、三角形、四角形、丸等の断面形状を有し、その断面形状は、枠状であったり、無垢状であったりし、同じ部材によって形成される。
その面木等は、従来、無垢の木材からなるものが一般的であり、樹脂製枠状の物もある（特許文献１、２参照）。また、樹脂製枠体の面木等は、芯材として、発泡樹脂（特許文献１）や木材（特許文献２）を枠体内に装入している。
【先行技術文献】
【特許文献】
【０００５】
【特許文献１】特開平１１−１４１１２１号公報
【特許文献２】特開２０１４−２３７９９４号公報
【特許文献３】実用新案登録第３２０２５０９号公報
【考案の概要】
【考案が解決しようとする課題】
【０００６】
面木等は、型枠Ｗと同様に、打設コンクリートＣが固化すれば、そのコンクリート面から撤去される。そのとき、撤去し易いことが要求される。すなわち、コンクリート面からの剥離性（脱型性）が要求される。
この剥離性に応えるために、棒状面木等のその棒状材の全長に亘って樹脂フィルムをシュリンク包装することが考えられている（特許文献３段落０００４）。このシュリンク包装は、樹脂フィルムの剥離性により、上記コンクリート面からの脱型性が良い。
【０００７】
一方、このシュリンク包装の面木等を廃棄等する際、芯材（棒状材）が木製等であれば、芯材とシュリンク包装資材である樹脂フィルムを分別する必要がある。
従来、その面木等の芯材から樹脂フィルムを剥がすには、尖端を有する棒材によって、シュリンク包装された樹脂フィルムに穴を開けたり、刃物で切り目を入れたりして、その穴又は切り目から樹脂フィルムを破って剥離している。この作業は繁雑であり、改善が望まれている。
【０００８】
この考案は、シュリンク包装された面木等において、そのシュリンク包装された樹脂フィルムを容易に剥がし得るようにすることを課題とする。
【課題を解決するための手段】
【０００９】
上記課題を達成するため、この考案は、まず、シュリンク包装の樹脂フィルムにその長さ方向のミシン目状の孔列を形成することとしたのである。
シュリンク包装は、棒状面木等（棒状材）のサイズに合わせた樹脂フィルムの袋にその棒状材（芯材）を入れたり、又は、棒状材を樹脂フィルムで覆ったりした上で、シュリンク機械に通して加熱すると、樹脂フィルムが縮んで面木等（棒状材）を密封被覆するため、棒状材の全表面に樹脂フィルムがピッタリ添い、面木等の外面形状の変形は極めて少ない。このため、シュリンク包装しても、面木等の本来の機能、例えば面取りの形成等に支障が出ることはない。
【００１０】
つぎに、そのミシン目状孔列はシュリンク包装したコンクリート層に接しない面に形成することとしたのである。
ミシン目状孔列がコンクリート層に接する面に存在すると、コンクリートがその孔列から内部に侵入し、コンクリート面にそのミシン目状孔列による凹凸条が形成されて美観的に問題になる上に、コンクリートの接着性によって、棒状材（芯材）と樹脂フィルムが剥離されにくくなるとともに脱型性も低下する問題が生じる。
したがって、コンクリートが接しない樹脂フィルム面にミシン目状の孔列があれば、その孔列からコンクリートが侵入することがないため、棒状材から樹脂フィルムを容易に剥がすことができる。
【００１１】
この考案の具体的な構成としては、打設コンクリート層間に介在される棒状材からなる建築資材であって、その棒状材の全長に亘って樹脂フィルムをシュリンク包装し、そのシュリンク包装した樹脂フィルムのコンクリート層に接しない面にその棒状材の長さ方向に長いミシン目状の孔列を形成した構成を採用したのである。
この樹脂フィルムのシュリンク包装は、剥離性が問題となる木材からなる棒状材の建築資材の場合に有効である。
【００１２】
上記ミシン目状孔列の長さは、棒材の尖端をその孔列に入れてシュリンク包装用樹脂フィルムを破いて剥離し得れば、任意であるが、棒状材の全長に亘って（長さ方向の両端に至って）形成することが好ましい。ミシン目状孔列が全長に亘って形成されておれば、そのミシン目状孔列を介して棒状材の全長（シュリンク包装の全長）に亘って樹脂フィルムを容易に剥がすことができる。
上記棒状建築資材は、コンクリート構造物を施工する際、そのコンクリート構造物に所要の形状を作る面木、同コンクリート構造物のコンクリート層間の隙間を形成する目地棒、前記コンクリート構造物に複雑な切り込み等を形成するためのアンコ材等が考えられる。
【考案の効果】
【００１３】
この考案は、以上のように構成したので、脱型性の良い面木等の建築資材とすることができるとともに、建築資材本体（棒状材）とシュリンク包装用樹脂フィルムの分別がし易いものとなる。
【図面の簡単な説明】
【００１４】
【図１】この考案に係る面木の一実施形態の斜視図
【図２】同実施形態の断面図
【図３】同実施形態の製作説明図
【図４】同実施形態の使用状態の説明用断面図
【図５】他の各実施形態の斜視図
【図６】（ａ）〜（ｇ）は面木等の各例の断面図
【図７】（ａ）〜（ｊ）は面木、目地棒、アンコ材の各使用例の概略断面図
【考案を実施するための形態】
【００１５】
この考案に係る面木Ａの一実施形態を図１〜図４に示し、この実施形態の面木Ａ１は、同図に示すように、断面無垢三角棒状木材（桐製芯材）１０の全長に亘って、ポリ塩化ビニル製樹脂フィルム１１がシュリンク包装されている。シュリンク包装は芯材１０の両端から突出させても良い。面木Ａ１の長さは、２ｍ等と任意である。樹脂フィルム１１の厚さは任意であるが、例えば、０．０２〜０．０５ｍｍ程度とする。
【００１６】
シュリンク包装された樹脂フィルム１１のコンクリート層Ｃに接しない面（図２において斜面以外の面）には、その全長に亘ってミシン目状の複数の孔列１２が形成されている。
この孔列１２は、図３に示すように、芯材１０のサイズに合わせた（芯材１０が入り得る）大きさの筒状の樹脂フィルム１１を偏平にして、孔列１２を形成する部位にレーザ光ｃを照射する等によって形成する。このため、孔列１２は２面に形成される（図２参照）。孔列１２の孔の大きさや間隔は、孔列１２を介して樹脂フィルム１１を円滑に剥ぎ取れるように実験などによって適宜に設定する。
この孔列１２を有する筒状樹脂フィルム１１に芯材（棒状材）１０を装入（挿入）し（図３参照）、その樹脂フィルム１１で被覆された芯材１０をシュリンク機械に通して加熱する。すると、樹脂フィルム１１が縮んで芯材（棒状材）１０を密封被覆する。このため、芯材１０の全表面に樹脂フィルム１１がピッタリ添い、このシュリンク包装しても、面木Ａ１の本来の機能（面取り）に支障が出ることはない。
【００１７】
この実施形態の面木Ａ１は以上の構成であり、従来と同様、図４に示すように、型枠Ｗに釘等によって固定し、コンクリートＣを打設することによって、コンクリート層の隅に面取りを形成する。このとき、孔列１２は、コンクリートＣに接しない面に形成されているため、孔列１２からコンクリートＣが木製の芯材１０に侵入することはない。
コンクリートＣが乾燥して固化し、所要の強度に達すれば、型枠Ｗを脱型する。この型枠Ｗの脱型とともに、面木Ａ１も脱型される。このとき、面木Ａ１は樹脂フィルム１１でシュリンク包装されているため、その脱型も円滑である。
【００１８】
この面木Ａ１を、棒状材（芯材）１０と樹脂フィルム１１に分別する場合は、図１鎖線で示すように、孔列１２の端から、樹脂フィルム１１を破いて剥がせば、樹脂フィルム１１を芯材１０から容易に剥がして両者を分別できる。
【００１９】
上記実施形態の面木Ａ１において、孔列１２は、図１に示す、波状でなくても、図５（ａ）に示す、直線状等とすることができる。要は、樹脂フィルム１１を破いて剥がし得れば、その列形状は何れでも良い。また、その孔列１２も少なくとも１列あれば十分であり（図５（ｂ）、同（ｃ）参照）、その位置も、形成面の幅方向の中央であったり（図５（ｂ）参照）、図１と異なる側であったり（同図（ｃ）参照）等と幅方向に任意である。
なお、図３に示したシュリンク包装において、筒状樹脂フィルム１１に真っ直ぐな孔列１２を形成しても、棒状材１０にシュリンク包装する際、樹脂フィルム１１の熱収縮によって、その孔列１２はある程度の波状となることは避けがたい。
【００２０】
上記実施形態の面木Ａ１はその棒状材（芯材）１０が断面三角状であったが、図７で示す使用場所に応じて、図６に示す、断面正四角形、同台形、同丸形（建築資材Ａ２〜Ａ８）等と任意である。
上記樹脂フィルム１１には、ポリ塩化ビニル以外に、一般的なポリエチレン、ポリプロピレン等の種々の樹脂フィルムが考えられる。その樹脂フィルム１１を棒状材１０の全面全長に亘ってシュリンク包装し得れば、シュリンク前の樹脂フィルム１１は筒状でなくても良い。
また、棒状材（芯材）１０は、単板、合成板等の木製に特定されない。例えば、発泡樹脂であったり、樹脂であったり、又枠状であったりし得る。
さらに、この考案は、面木Ａに限らず、目地棒、アンコ材等の、コンクリート構造物を施工する際、そのコンクリート構造物のコンクリート層間の隙間を形成したり、コンクリート構造物に複雑な切り込み等を形成したりする、棒状材に樹脂フィルムをシュリンク包装した棒状建築資材に採用し得ることは勿論である。
因みに、上記実施形態は、建築資材であったが、この考案は、棒状土木資材にも採用し得ることは言うまでもない。
【符号の説明】
【００２１】
Ｗ  型枠
Ａ、Ａ１〜Ａ８  建築資材（面木、目地棒、アンコ材）
Ｃ  コンクリート
１０  棒状材（木製芯材）
１１  シュリンク包装用樹脂フィルム
１２  孔列
【図１】
0003211393.tif 000003
【図２】
0003211393.tif 000004
【図３】
0003211393.tif 000005
【図４】
0003211393.tif 000006
【図５】
0003211393.tif 000007
【図６】
0003211393.tif 000008
【図７】
0003211393.tif 000009